【手続補正書】
【提出日】平成28年3月2日(2016.3.2)
【手続補正１】
【補正対象書類名】明細書
【補正対象項目名】００７１
【補正方法】変更
【補正の内容】
【００７１】
【表３】
2015514150.tif 000001
表３から、ＦＤＣ−Ｃｌ、ＭＰＤ、及びＩＰＬから作製されたコポリマーは、上手く繊維に紡糸することができることは明らかである。フランコポリマーから作製された繊維（実施例３．１〜３．４）は、様々な巻き取り速度において、比較用の非フラン系ポリアラミド（比較例Ｂ．１〜Ｂ．４）と同様のデニール及び機械的特性を有する。
【手続補正２】
【補正対象書類名】明細書
【補正対象項目名】００７２
【補正方法】変更
【補正の内容】
【００７２】
以上、本発明を要約すると下記のとおりである。
１．ポリマーを含む組成物であって、前記ポリマーは、以下に示される式
【化１０】
2015514150.tif 000002
の繰り返し単位を含み、
前記ポリマーは、
ａ．ｍ−フェニレンジアミンを含む芳香族ジアミンと、
ｂ．フランジカルボン酸又はその誘導体を含む芳香族二酸又はその誘導体と、
から得られる、組成物。
２．前記ポリマーは、以下の式
【化１１】
2015514150.tif 000003
を有するポリ（ｍ−フェニレン２，５−フランカルボキシルアミド）である、上記１に記載の組成物。
３．前記芳香族ジアミンは、ｐ−フェニレンジアミン、ｍ−キシリレンジアミン、３，３’−ジメチルベンジジン、２，６−ナフチレンジアミン、４，４’−ジアミノジフェニルエーテル、４，４’−ジアミノジフェニルスルホン、１，１２−ドデカンジアミン、１，２−エチレンジアミン、１，６−ヘキサメチレンジアミン、１，５−ペンタメチレンジアミン、１，４−テトラメチレンジアミン、ビス（アミノメチル）シクロヘキサン、５−アミノ−１，３，３−トリメチルシクロヘキサンメタンアミン、１，１２−ドデカンジアミン、及びそれらの混合物からなる群から選択されるジアミンコモノマーを更に含む、上記１に記載の組成物。
４．前記芳香族二酸は、テレフタル酸、イソフタル酸、フタル酸、ナフタリン二酸、アジピン酸、アゼライン酸、セバシン酸、ドデカン酸、１，４−シクロヘキサンジカルボン酸、マレイン酸、コハク酸、及び１，３，５−ベンゼントリカルボン酸からなる群から選択される二酸コモノマーを更に含む、上記１に記載の組成物。
５．前記ポリマーは、２，５−フラン二酸塩化物、ｍ−フェニレンジアミン、及びイソフタル酸から得られるコポリマーである、上記１に記載の組成物。
６．ｅ）芳香族ジアミンモノマーを極性溶媒に溶解させて不活性雰囲気下にてジアミン溶液を形成するステップであって、前記極性溶媒はジメチルアセトアミド、ジメチルホルムアミド、及びジメチルスルホキシドからなる群から選択され、且つ、前記芳香族ジアミンは、ｍ−フェニレンジアミンを含むステップと、
ｆ）芳香族二酸モノマー又はその誘導体を−５〜３５℃の範囲の温度で前記ジアミン溶液に加えて反応混合物を形成するステップであって、前記芳香族二酸はフランジカルボン酸又はその誘導体を含むステップと、
ｇ）温度の更なる上昇がなくなるまで、又は前記反応混合物の所望の粘度が達成されるまで、前記反応を継続するステップと、
ｈ）前記ポリマーを前記反応混合物から単離するステップと、
を含む、上記１に記載のポリマー組成物を調製するプロセス。
７．芳香族二酸モノマーを加えるステップの前に、塩を前記ジアミン溶液に加えるステップを更に含み、前記塩はアルカリ金属イオンの塩と、アルカリ土類金属イオンの塩とを含む、上記６に記載のプロセス。
８．塩を前記反応混合物に加えるステップを更に含み、前記塩は、アルカリ金属イオンの塩と、アルカリ土類金属イオンの塩とを含む、上記６に記載のプロセス。
９．以下の式
【化１２】
2015514150.tif 000004
の繰り返し単位を含むポリマーを含み、
前記ポリマーは、
ａ．ｍ−フェニレンジアミンを含む芳香族ジアミンと、
ｂ．フランジカルボン酸又はその誘導体を含む芳香族二酸又はその誘導体と、
から得られる、付形物品。
１０．前記ポリマーは、以下の一般構造
【化１３】
2015514150.tif 000005
を有するポリ（メタ−フェニレン２，５−フランカルボキシルアミド）である、上記９に記載の付形物品。
１１．前記芳香族ジアミンは、ｐ−フェニレンジアミン、ｍ−キシリレンジアミン、３，３’−ジメチルベンジジン、２，６−ナフチレンジアミン、４，４’−ジアミノジフェニルエーテル、４，４’−ジアミノジフェニルスルホン、１，１２−ドデカンジアミン、１，２−エチレンジアミン、１，６−ヘキサメチレンジアミン、１，５−ペンタメチレンジアミン、１，４−テトラメチレンジアミン、ビス（アミノメチル）シクロヘキサン、５−アミノ−１，３，３−トリメチルシクロヘキサンメタンアミン、１，１２−ドデカンジアミン、及びそれらの混合物からなる群から選択されるコモノマーを更に含む、上記９に記載の付形物品。
１２．前記芳香族二酸は、テレフタル酸、イソフタル酸、フタル酸、ナフタリン二酸、アジピン酸、アゼライン酸、セバシン酸、ドデカン酸、１，４−シクロヘキサンジカルボン酸、マレイン酸、コハク酸、及び１，３，５−ベンゼントリカルボン酸からなる群から選択されるコモノマーを更に含む、上記９に記載の付形物品。
１３．繊維である上記９に記載の付形物品。
１４．上記１３に記載の繊維を含む紡績糸条。
１５．上記１４に記載の糸条を含む織布。
１６．上記１４に記載の糸条を含む衣類。
１７．上記１３に記載の繊維を含む不織のウェブ。
１８．前記プロセスは、
ａ）０．１〜５０重量％の上記１に記載のポリマー組成物の繊維混合物を形成するステップと、
ｂ）前記繊維混合物を紡糸して繊維にするステップと、
を含む、繊維を調製するプロセス。
【手続補正３】
【補正対象書類名】特許請求の範囲
【補正対象項目名】全文
【補正方法】変更
【補正の内容】
【特許請求の範囲】
【請求項１】
ポリマーを含む組成物であって、前記ポリマーは、以下に示される式
【化１】
2015514150.tif 000006
の繰り返し単位を含み、
前記ポリマーは、
ａ．ｍ−フェニレンジアミンを含む芳香族ジアミンと、
ｂ．フランジカルボン酸又はその誘導体を含む芳香族二酸又はその誘導体と、
から得られる、組成物。
【請求項２】
前記ポリマーは、以下の式
【化２】
2015514150.tif 000007
を有するポリ（ｍ−フェニレン２，５−フランカルボキシルアミド）である、請求項１に記載の組成物。
【請求項３】
前記芳香族ジアミンは、ｐ−フェニレンジアミン、ｍ−キシリレンジアミン、３，３’−ジメチルベンジジン、２，６−ナフチレンジアミン、４，４’−ジアミノジフェニルエーテル、４，４’−ジアミノジフェニルスルホン、１，１２−ドデカンジアミン、１，２−エチレンジアミン、１，６−ヘキサメチレンジアミン、１，５−ペンタメチレンジアミン、１，４−テトラメチレンジアミン、ビス（アミノメチル）シクロヘキサン、５−アミノ−１，３，３−トリメチルシクロヘキサンメタンアミン、１，１２−ドデカンジアミン、及びそれらの混合物からなる群から選択されるジアミンコモノマーを更に含む、請求項１に記載の組成物。
【請求項４】
前記芳香族二酸は、テレフタル酸、イソフタル酸、フタル酸、ナフタリン二酸、アジピン酸、アゼライン酸、セバシン酸、ドデカン酸、１，４−シクロヘキサンジカルボン酸、マレイン酸、コハク酸、及び１，３，５−ベンゼントリカルボン酸からなる群から選択される二酸コモノマーを更に含む、請求項１に記載の組成物。
【請求項５】
前記ポリマーは、２，５−フラン二酸塩化物、ｍ−フェニレンジアミン、及びイソフタル酸から得られるコポリマーである、請求項１に記載の組成物。
【請求項６】
ｅ）芳香族ジアミンモノマーを極性溶媒に溶解させて不活性雰囲気下にてジアミン溶液を形成するステップであって、前記極性溶媒はジメチルアセトアミド、ジメチルホルムアミド、及びジメチルスルホキシドからなる群から選択され、且つ、前記芳香族ジアミンは、ｍ−フェニレンジアミンを含むステップと、
ｆ）芳香族二酸モノマー又はその誘導体を−５〜３５℃の範囲の温度で前記ジアミン溶液に加えて反応混合物を形成するステップであって、前記芳香族二酸はフランジカルボン酸又はその誘導体を含むステップと、
ｇ）温度の更なる上昇がなくなるまで、又は前記反応混合物の所望の粘度が達成されるまで、前記反応を継続するステップと、
ｈ）前記ポリマーを前記反応混合物から単離するステップと、
を含む、請求項１に記載のポリマー組成物を調製するプロセス。
【請求項７】
以下の式
【化３】
2015514150.tif 000008
の繰り返し単位を含むポリマーを含み、
前記ポリマーは、
ａ．ｍ−フェニレンジアミンを含む芳香族ジアミンと、
ｂ．フランジカルボン酸又はその誘導体を含む芳香族二酸又はその誘導体と、
から得られる、付形物品。
【請求項８】
前記ポリマーは、以下の一般構造
【化４】
2015514150.tif 000009
を有するポリ（メタ−フェニレン２，５−フランカルボキシルアミド）である、請求項７に記載の付形物品。
【請求項９】
繊維である請求項７に記載の付形物品。
【請求項１０】
請求項９に記載の繊維を含む紡績糸条。
【請求項１１】
請求項１０に記載の糸条を含む織布。
【請求項１２】
請求項１０に記載の糸条を含む衣類。
【請求項１３】
請求項９に記載の繊維を含む不織のウェブ。
【請求項１４】
前記プロセスは、
ａ）０．１〜５０重量％の請求項１に記載のポリマー組成物の繊維混合物を形成するステップと、
ｂ）前記繊維混合物を紡糸して繊維にするステップと、
を含む、繊維を調製するプロセス。